(57)【要約】  【課題】  ＷＥＢサイトのリースが行われた場合に、ＷＥＢサイトを様々な観点で適切に評価し、運営管理者の貢献度等をポイントにより判定するＷＥＢサイト管理システムを提供することにある。  【解決手段】  管理サーバ４０の評価管理部４１は、リースに係るＷＥＢサイトに関するアクセス状況を含むアクセスログ７４を、ＷＥＢサーバ３０から取得し、このアクセスログ７４に基づいて、閲覧ユーザから効果的にアクセスを集めるＷＥＢサイトを評価するポイントを計算する。また、評価管理部４１は、こうしたアクセス状況に関する要素のみではなく、たとえば、相対的な比較によって求められた要素や、ＷＥＢサイトの特性に関する要素、ＷＥＢサイトの閲覧に関連付けられた利益額に関する要素をも加味してポイントを計算する。投資管理部４２は、上記のようにして計算されたポイントに基づいて、ＷＥＢサイトに対して投資を行う際の取引価額や配当額を決定する。【選択図】  図２
2010191825.tif 000002
【特許請求の範囲】
【請求項１】
管理サーバを含むＷＥＢサイト管理システムであって、
前記管理サーバは、
運営管理者にリースされたＷＥＢサイトに関する不特定の閲覧ユーザのアクセス状況を取得するアクセス状況取得手段と、
少なくとも前記アクセス状況に関する要素に基づいて、前記ＷＥＢサイトを評価するポイントを計算するポイント計算手段とを備え、
前記ポイント計算手段は、前記ポイントの計算に用いられる要素のうち少なくとも１つを、所定の範囲のＷＥＢサイトのなかでの相対的な比較によって求められた要素とすることを特徴とするＷＥＢサイト管理システム。
【請求項２】
管理サーバを含むＷＥＢサイト管理システムであって、
前記管理サーバは、
運営管理者にリースされたＷＥＢサイトに関する不特定の閲覧ユーザのアクセス状況を取得するアクセス状況取得手段と、
少なくとも前記アクセス状況に関する要素に基づいて、前記ＷＥＢサイトを評価するポイントを計算するポイント計算手段とを備え、
前記ポイント計算手段はさらに、前記ＷＥＢサイトの特性に関する要素および前記ＷＥＢサイトの閲覧に関連付けられた利益額に関する要素の少なくともいずれかに基づいて、前記ポイントを計算することを特徴とするＷＥＢサイト管理システム。
【請求項３】
管理サーバを含むＷＥＢサイト管理システムであって、
前記管理サーバは、
運営管理者にリースされたＷＥＢサイトに関する不特定の閲覧ユーザのアクセス状況を取得するアクセス状況取得手段と、
少なくとも前記アクセス状況に関する要素に基づいて、前記ＷＥＢサイトを評価するポイントを計算するポイント計算手段と、
前記ＷＥＢサイトの前記ポイント、前記ポイントの変動、または前記ポイントを所定期間に亘って累積した累積ポイントに応じて、投資対象である前記ＷＥＢサイトの取引価額または配当額を決定する投資管理手段とを備えることを特徴とするＷＥＢサイト管理システム。
【請求項４】
管理サーバを含むＷＥＢサイト管理システムにより実行されるＷＥＢサイト管理方法であって、
前記管理サーバにおいて、
運営管理者にリースされたＷＥＢサイトに関する不特定の閲覧ユーザのアクセス状況を取得するアクセス状況取得ステップと、
少なくとも前記アクセス状況に関する要素に基づいて、前記ＷＥＢサイトを評価するポイントを計算するポイント計算ステップとを備え、
前記ポイント計算ステップは、前記ポイントの計算に用いられる要素のうち少なくとも１つを、所定の範囲のＷＥＢサイトのなかでの相対的な比較によって求められた要素とすることを特徴とするＷＥＢサイト管理方法。
【請求項５】
管理サーバを含むＷＥＢサイト管理システムにより実行されるＷＥＢサイト管理方法であって、
前記管理サーバにおいて、
運営管理者にリースされたＷＥＢサイトに関する不特定の閲覧ユーザのアクセス状況を取得するアクセス状況取得ステップと、
少なくとも前記アクセス状況に関する要素に基づいて、前記ＷＥＢサイトを評価するポイントを計算するポイント計算ステップとを備え、
前記ポイント計算ステップはさらに、前記ＷＥＢサイトの特性に関する要素および前記ＷＥＢサイトの閲覧に関連付けられた利益額に関する要素の少なくともいずれかに基づいて、前記ポイントを計算することを特徴とするＷＥＢサイト管理方法。
【請求項６】
管理サーバを含むＷＥＢサイト管理システムにより実行されるＷＥＢサイト管理方法であって、
前記管理サーバにおいて、
運営管理者にリースされたＷＥＢサイトに関する不特定の閲覧ユーザのアクセス状況を取得するアクセス状況取得ステップと、
少なくとも前記アクセス状況に関する要素に基づいて、前記ＷＥＢサイトを評価するポイントを計算するポイント計算ステップと、
前記ＷＥＢサイトの前記ポイント、前記ポイントの変動、または前記ポイントを所定期間に亘って累積した累積ポイントに応じて、投資対象である前記ＷＥＢサイトの取引価額または配当額を決定する投資管理ステップとを備えることを特徴とするＷＥＢサイト管理方法。
【請求項７】
管理サーバを含むＷＥＢサイト管理システムを実現させるプログラムであって、
前記管理サーバに、
運営管理者にリースされたＷＥＢサイトに関する不特定の閲覧ユーザのアクセス状況を取得するアクセス状況取得手段、および、
少なくとも前記アクセス状況に関する要素に基づいて、前記ＷＥＢサイトを評価するポイントを計算するポイント計算手段として機能させるプログラムであり、
前記ポイント計算手段は、前記ポイントの計算に用いられる要素のうち少なくとも１つを、所定の範囲のＷＥＢサイトのなかでの相対的な比較によって求められた要素とするプログラム。
【請求項８】
管理サーバを含むＷＥＢサイト管理システムを実現させるプログラムであって、
前記管理サーバに、
運営管理者にリースされたＷＥＢサイトに関する不特定の閲覧ユーザのアクセス状況を取得するアクセス状況取得手段、および、
少なくとも前記アクセス状況に関する要素に基づいて、前記ＷＥＢサイトを評価するポイントを計算するポイント計算手段として機能させるプログラムであり、
前記ポイント計算手段はさらに、前記ＷＥＢサイトの特性に関する要素および前記ＷＥＢサイトの閲覧に関連付けられた利益額に関する要素の少なくともいずれかに基づいて、前記ポイントを計算するプログラム。
【請求項９】
管理サーバを含むＷＥＢサイト管理システムを実現させるプログラムであって、
前記管理サーバに、
運営管理者にリースされたＷＥＢサイトに関する不特定の閲覧ユーザのアクセス状況を取得するアクセス状況取得手段、
少なくとも前記アクセス状況に関する要素に基づいて、前記ＷＥＢサイトを評価するポイントを計算するポイント計算手段、および、
前記ＷＥＢサイトの前記ポイント、前記ポイントの変動、または前記ポイントを所定期間に亘って累積した累積ポイントに応じて、投資対象である前記ＷＥＢサイトの取引価額または配当額を決定する投資管理手段として機能させるプログラム。
【発明の詳細な説明】
【技術分野】
【０００１】
この発明は、リースされたＷＥＢサイトについての管理を行うＷＥＢサイト管理システムに関する。
【背景技術】
【０００２】
近年のインターネットの普及に伴って、ほとんどの企業がインターネット上にＷＥＢサイトを保有するようになった。こうしたＷＥＢサイトは、すべてのインターネットユーザが閲覧可能であり、多くのユーザに対して多種多様な情報を、簡単かつ迅速に公開することができる。そのため、各社は、ＷＥＢサイトで、積極的にＩＲ情報やリクルート情報などを開示するようになってきている。
【０００３】
また、ＷＥＢサイトには、企業や製品に関する詳細な情報が、テキスト、静止画、動画などの多様な手段によって公開されていることも多く、これが企業イメージや視聴者の購買意欲を高める、１つの重要な広告ツールとなっている。さらに、ＷＥＢサイトには、製品のトラブル情報や修正されたプログラムなどが掲載されることもあり、このような場合、ＷＥＢサイトは、製品ユーザに対して、効果的なサポートツールとして機能する。
【０００４】
通常、視聴者によるＷＥＢサイトの初めてのアクセスは、視聴者が検索サイトでキーワードを入力し、検索結果として表示されたＷＥＢサイトのリストをマウス等でクリックすることによって行われる。したがって、所定のキーワードによって効率よく検索がされる、たとえば、一般的なキーワードを用いた場合に、検索サイトの検索結果として上位に表示されるＷＥＢサイトが優秀なＷＥＢサイトであり、広告ツールとして高い宣伝広告機能を発揮し、かつサポートツールとして、ユーザに対する高い満足度を与えることになる。
【０００５】
ＷＥＢサイトのこのような機能を最大限に利用するため、各企業は、自社のＷＥＢサイトが、検索サイトの検索結果として上位にリストされるように多くの工夫をしている。たとえば、検索サイトのロボット（サーチエンジン）がＷＥＢサイトをランキングする基準にしたがって、ＷＥＢサイトのコンテンツの構成や更新頻度を調整する。また、多くの検索サイトは、他のＷＥＢサイトからのリンクが多くされているほど高いランク付けをして、検索結果の上位にリストするようになっているが、こうした有利なランク付けは、長い年月をかけてそのＷＥＢサイトが積み重ねてきた実績であり、このような状態には、一朝一夕には到達できない。ＷＥＢサイトを検索結果の上位にリストするように様々な工夫をすることを、ＳＥＯ（Search Engine Optimization）や、検索エンジン最適化などと呼ぶことがある。
【０００６】
このようにＷＥＢサイトは、企業の重要なビジネスツールとして位置付けられるとともに、高度なノウハウによって長い年月をかけて「優秀」に育てられるものであり、その意味において、一定の資産価値が認められるようになってきている。これに伴い、近年では、ＷＥＢサイトの売買・Ｍ＆Ａや、より優秀なＷＥＢサイトへの改良を行うリノベーションなどのビジネスが大きな発展を見せている。また、こうした傾向に伴って、ＷＥＢサイトの資産価値を一定の基準で正当に評価する評価システムの必要性が生じている。
【０００７】
たとえば、特許文献１では、ＷＥＢサイトの価値評価システムが開示されている。このシステムでは、消費者アンケート、コンテンツ分析、アクセス状況、財務諸表、および企業アンケートから、直接価値、間接価値、広告宣伝価値、マーケティング価値、顧客満足度価値を計算し、これらの価値を合算してＷＥＢサイトの価値を計算する。
【特許文献１】特開２００５−９２８３２号公報
【発明の開示】
【発明が解決しようとする課題】
【０００８】
しかしながら、新たなサイトリノベーションのアプローチとして、ドメインに関する権利やコンテンツの著作権などをＷＥＢサイトのオーナー（ＷＥＢオーナー）が保持したまま、第三者（運営管理者）が当該ＷＥＢサイトを改良等して運営・管理等を行う、「ＷＥＢサイトのリース（またはレンタル）」が行われた場合に、ＷＥＢサイトを様々な観点で適切に評価し、運営管理者の貢献度等を判定することは、上記特許文献１に開示されたＷＥＢサイトの価値評価システムでは実現することができず、他にもこうしたシステムは存在しない。
【０００９】
さらに、運営管理者の貢献度のポイント化（数値化）、当該ポイントに基づいた報酬支払いを管理するシステムや、当該ポイントに基づいてＷＥＢサイトに対する投資を受け付け、必要に応じて配当を行うよう管理するシステムはいままでに提案されていない。
【００１０】
また、ＷＥＢサイトのリースが行われた場合に、ＷＥＢオーナーと運営管理者との間の処理（たとえば、報酬の受け取りや、ＷＥＢサイトのコンテンツの受け渡し、更新されたＷＥＢサイトの確認）などの運営・管理を支援するシステムは、これまで提案されていない。
【００１１】
さらに、ＷＥＢサイトのリースに関して、ＷＥＢオーナーと、これの改良等を含めて運営・管理を行う運営管理者を一覧表示させ、または入札方式や自動的な処理により仲介するよう構成されたシステムはいままでに提案されていない。
【００１２】
したがって、本発明の目的は、ＷＥＢサイトのリースが行われた場合に、ＷＥＢサイトを様々な観点で適切に評価し、運営管理者の貢献度等をポイントにより判定するＷＥＢサイト管理システムを提供することにある。
【００１３】
さらに、本発明の目的は、運営管理者の貢献度等を表すポイントに基づいた報酬の支払いを管理するシステムや、当該ポイントに基づいてＷＥＢサイトに対する投資を受け付け、必要に応じて配当を行うよう管理するＷＥＢサイト管理システムを提供することにある。
【００１４】
また、本発明の更なる目的は、ＷＥＢサイトのリースが行われた場合に、ＷＥＢオーナーと運営管理者との間の処理などを支援するＷＥＢサイト管理システムを提供することにある。またさらに、ＷＥＢサイトのリースに関して、ＷＥＢオーナーと、これの改良等を含めて運営・管理を行う運営管理者を一覧表示させ、または入札方式や自動的な処理により仲介するよう構成されたＷＥＢサイト管理システムを提供することにある。
【課題を解決するための手段】
【００１５】
本発明の第１の実施態様は、管理サーバを含むＷＥＢサイト管理システムであって、前記管理サーバは、運営管理者にリースされたＷＥＢサイトに関する不特定の閲覧ユーザのアクセス状況を取得するアクセス状況取得手段と、少なくとも前記アクセス状況に関する要素に基づいて、前記ＷＥＢサイトを評価するポイントを計算するポイント計算手段とを備える。また、ここで、前記ポイント計算手段は、前記ポイントの計算に用いられる要素のうち少なくとも１つを、所定の範囲のＷＥＢサイトのなかでの相対的な比較によって求められた要素とするように構成される。
【００１６】
本発明の第２の実施態様は、管理サーバを含むＷＥＢサイト管理システムであって、前記管理サーバは、運営管理者にリースされたＷＥＢサイトに関する不特定の閲覧ユーザのアクセス状況を取得するアクセス状況取得手段と、少なくとも前記アクセス状況に関する要素に基づいて、前記ＷＥＢサイトを評価するポイントを計算するポイント計算手段とを備える。また、ここで、前記ポイント計算手段はさらに、前記ＷＥＢサイトの特性に関する要素および前記ＷＥＢサイトの閲覧に関連付けられた利益額に関する要素の少なくともいずれかに基づいて、前記ポイントを計算するように構成される。
【００１７】
本発明の第３の実施態様は、管理サーバを含むＷＥＢサイト管理システムであって、前記管理サーバは、運営管理者にリースされたＷＥＢサイトに関する不特定の閲覧ユーザのアクセス状況を取得するアクセス状況取得手段と、少なくとも前記アクセス状況に関する要素に基づいて、前記ＷＥＢサイトを評価するポイントを計算するポイント計算手段と、前記ＷＥＢサイトの前記ポイント、前記ポイントの変動、または前記ポイントを所定期間に亘って累積した累積ポイントに応じて、投資対象である前記ＷＥＢサイトの取引価額または配当額を決定する投資管理手段とを備えるように構成される。
【００１８】
本発明の第４の実施態様は、管理サーバを含むＷＥＢサイト管理システムにより実行されるＷＥＢサイト管理方法であって、前記管理サーバにおいて、運営管理者にリースされたＷＥＢサイトに関する不特定の閲覧ユーザのアクセス状況を取得するアクセス状況取得ステップと、少なくとも前記アクセス状況に関する要素に基づいて、前記ＷＥＢサイトを評価するポイントを計算するポイント計算ステップとを備える。また、ここで、前記ポイント計算ステップは、前記ポイントの計算に用いられる要素のうち少なくとも１つを、所定の範囲のＷＥＢサイトのなかでの相対的な比較によって求められた要素とするように構成される。
【００１９】
本発明の第５の実施態様は、管理サーバを含むＷＥＢサイト管理システムにより実行されるＷＥＢサイト管理方法であって、前記管理サーバにおいて、運営管理者にリースされたＷＥＢサイトに関する不特定の閲覧ユーザのアクセス状況を取得するアクセス状況取得ステップと、少なくとも前記アクセス状況に関する要素に基づいて、前記ＷＥＢサイトを評価するポイントを計算するポイント計算ステップとを備える。また、ここで、前記ポイント計算ステップはさらに、前記ＷＥＢサイトの特性に関する要素および前記ＷＥＢサイトの閲覧に関連付けられた利益額に関する要素の少なくともいずれかに基づいて、前記ポイントを計算するように構成される。
【００２０】
本発明の第６の実施態様は、管理サーバを含むＷＥＢサイト管理システムにより実行されるＷＥＢサイト管理方法であって、前記管理サーバにおいて、運営管理者にリースされたＷＥＢサイトに関する不特定の閲覧ユーザのアクセス状況を取得するアクセス状況取得ステップと、少なくとも前記アクセス状況に関する要素に基づいて、前記ＷＥＢサイトを評価するポイントを計算するポイント計算ステップと、前記ＷＥＢサイトの前記ポイント、前記ポイントの変動、または前記ポイントを所定期間に亘って累積した累積ポイントに応じて、投資対象である前記ＷＥＢサイトの取引価額または配当額を決定する投資管理ステップとを備えるように構成される。
【００２１】
本発明の第７の実施態様は、管理サーバを含むＷＥＢサイト管理システムを実現させるプログラムであって、前記管理サーバに、運営管理者にリースされたＷＥＢサイトに関する不特定の閲覧ユーザのアクセス状況を取得するアクセス状況取得手段、および、少なくとも前記アクセス状況に関する要素に基づいて、前記ＷＥＢサイトを評価するポイントを計算するポイント計算手段として機能させるプログラムである。また、ここで、前記ポイント計算手段は、前記ポイントの計算に用いられる要素のうち少なくとも１つを、所定の範囲のＷＥＢサイトのなかでの相対的な比較によって求められた要素とするよう構成される。
【００２２】
本発明の第８の実施態様は、管理サーバを含むＷＥＢサイト管理システムを実現させるプログラムであって、前記管理サーバに、運営管理者にリースされたＷＥＢサイトに関する不特定の閲覧ユーザのアクセス状況を取得するアクセス状況取得手段、および、少なくとも前記アクセス状況に関する要素に基づいて、前記ＷＥＢサイトを評価するポイントを計算するポイント計算手段として機能させるプログラムである。また、ここで、前記ポイント計算手段はさらに、前記ＷＥＢサイトの特性に関する要素および前記ＷＥＢサイトの閲覧に関連付けられた利益額に関する要素の少なくともいずれかに基づいて、前記ポイントを計算するように構成される。
【００２３】
本発明の第９の実施態様は、管理サーバを含むＷＥＢサイト管理システムを実現させるプログラムであって、前記管理サーバに、運営管理者にリースされたＷＥＢサイトに関する不特定の閲覧ユーザのアクセス状況を取得するアクセス状況取得手段、少なくとも前記アクセス状況に関する要素に基づいて、前記ＷＥＢサイトを評価するポイントを計算するポイント計算手段、および、前記ＷＥＢサイトの前記ポイント、前記ポイントの変動、または前記ポイントを所定期間に亘って累積した累積ポイントに応じて、投資対象である前記ＷＥＢサイトの取引価額または配当額を決定する投資管理手段として機能させるプログラムである。
【発明の効果】
【００２４】
本発明に係るＷＥＢサイト管理システムによって、ＷＥＢサイトのリースが行われた場合に、ＷＥＢサイトを様々な観点で適切に評価し、運営管理者の貢献度等を表すポイントを計算し提供することができる。
【００２５】
さらに、本発明に係るＷＥＢサイト管理システムによって、リースしたＷＥＢサイトの運営管理者に関する貢献度を表すポイントに基づいて、投資対象であるＷＥＢサイトの取引価額および配当を決定し、当該投資の受け付けや配当の支払いを管理することができる。
【００２６】
また、本発明に係るＷＥＢサイト管理システムによって、ＷＥＢサイトのリースが行われた場合に、ＷＥＢオーナーと運営管理者との間の処理などを支援することができ、またさらに、ＷＥＢサイトのリースに関して、ＷＥＢオーナーと、これの改良等を含めて運営・管理する運営管理者とを仲介する機能が提供される。
【発明を実施するための最良の形態】
【００２７】
最初に、本発明の一実施形態に係るＷＥＢサイト管理システムの概要を、図１を参照して説明する。図１に示す本発明のＷＥＢサイト管理システム１は、管理サーバ４０を中心として構成されるシステムである。管理サーバ４０は、ネットワーク６０（たとえば、インターネットのような公衆ネットワーク）に接続され、ネットワーク６０には、ＷＥＢオーナー端末１０、運営管理者端末２０、ＷＥＢサーバ３０、およびＷＥＢ閲覧ユーザ端末９０が接続される。
【００２８】
ＷＥＢオーナーは、リースをする前、自身のＷＥＢページを更新する際に、ＷＥＢオーナー端末１０を用いて、ネットワーク６０経由で、提供データ７１（新しい内容のＷＥＢページと、関連する画像データ等）をＷＥＢサーバ３０に送信する。ＷＥＢサーバ３０は、受信した提供データ７１により、記憶装置に記憶されている対象のＷＥＢページを更新するとともに、画像データ等を更新する。このようにして新しい内容に更新されたＷＥＢページは、ネットワーク６０を介してＷＥＢ閲覧ユーザ端末９０上で動作するＷＥＢブラウザ等によって閲覧される。
【００２９】
ここで、ＷＥＢオーナーは、自身のＷＥＢサイト（一般的には、１つのドメインに配置された、複数のＷＥＢページを含むサイト）を第三者にリース（レンタル）して、その運営および管理を、第三者である運営管理者に委託することができる。この場合、たとえば、運営管理者が用いる運営管理者端末２０から、ＷＥＢサーバ３０に提供データ７３（新しい内容のＷＥＢページと、関連する画像データ等）を、ネットワーク６０経由で送信する。ＷＥＢサーバ３０は、提供データ７１を受信した場合と同様に、受信した提供データ７３により、対応するＷＥＢページを更新するとともに、画像データ等を更新する。このようにして更新されたＷＥＢページは、ＷＥＢ閲覧ユーザ端末９０の閲覧対象となる。
【００３０】
ＷＥＢサイト管理システム１では、リースされたＷＥＢページのＰＶ（ページビュー）数やＵＵ（ユニークユーザ）数などを増大させることで運営管理者が評価され、これに応じてポイントが付与される。運営管理者は、ＷＥＢサイトの構成やＷＥＢページの内容等を独自のノウハウ等で修正するなどして、こうしたＰＶ数を増加させ、より大きなポイントの獲得に努める。なお、更新のためのＷＥＢページのコンテンツや、画像データ、ＴＥＸＴデータ等、元となる情報は、提供データ７２として、ＷＥＢオーナーが用いるＷＥＢオーナー端末１０から提供されることもある。
【００３１】
管理サーバ４０は、対象とするＷＥＢサイトに関するアクセスログ７４をＷＥＢサーバ３０から受信する。アクセスログ７４は、対象のＷＥＢサイトのアクセス状況（不特定のＷＥＢ閲覧ユーザによる閲覧の状況）を表すものであり、ＷＥＢサーバ３０がアクセスログとして直接取得する生データに限らず、一定の編集・集約が施されたデータも含まれうる。
【００３２】
管理サーバ４０は、アクセスログ７４を受信すると、このアクセスログ７４に基づき、そのＷＥＢサイトに関するＷＥＢ閲覧ユーザの閲覧が、運営管理者によってどのように改善されたかを様々な観点から評価しポイント化する。また管理サーバ４０は、こうして評価されたポイントについて、ユーザから投資を募集し、ポイントに応じて投資ユーザに提供される配当の額および、配当の授受を管理する。また、管理サーバ４０では、運営管理者に支払われる報酬の管理、ＷＥＢサイトの更新の管理、ＷＥＢオーナーと運営管理者との仲介の管理等も行うよう制御される。
【００３３】
ＷＥＢサーバ３０は複数存在する。通常、ＷＥＢオーナーがリース前のＷＥＢサイトのＷＥＢページを記憶しておいたサーバであり、ＷＥＢオーナーによって異なるアドレスのサーバが用いられる。運営管理者は、ＷＥＢサイトをリースする際に、ＷＥＢページを記憶するＷＥＢサーバ３０を変更することができる。仮に、すべての運営管理者が管理サーバ４０をＷＥＢサーバ３０として利用することになれば、管理サーバ４０とＷＥＢサーバ３０の各機能が１台のコンピュータで実行されることになる。
【００３４】
次に、図２を参照して、本発明の一実施形態に係るＷＥＢサイト管理システム１の管理サーバ４０と、ＷＥＢサイト管理システム１に関連する各コンピュータの機能について概略説明する。管理サーバ４０は、評価管理部４１、投資管理部４２、報酬管理部４３、更新管理部４４、仲介管理部４５、ＷＥＢアクセス制御部４６、およびネットワーク制御部４７を含むとともに、記憶装置５０を備える。記憶装置５０には、ＷＥＢオーナー情報５１、運営管理者情報５２、評価管理情報５３、投資ユーザ情報５４、更新管理情報５５、および仲介管理情報５６を含む。
【００３５】
ＷＥＢオーナー情報５１には、ＷＥＢオーナーに関する情報が記憶されており、たとえば、ＷＥＢオーナーが保有するＷＥＢサイトの情報（サイトのＵＲＬや、更新パスワードなど）、ＷＥＢオーナー自身の情報（住所や氏名など）、ＷＥＢサイトのリースの条件等が記憶される。また、運営管理者情報５２には、運営管理者に関する情報が記憶されており、たとえば、運営管理者が運営・管理するＷＥＢサイトの情報（サイトのＵＲＬや、リースの条件）、運営管理者自身の情報（住所や氏名など）等が記憶される。
【００３６】
評価管理部４１は、対象とするＷＥＢサイトに関する、不特定のＷＥＢ閲覧ユーザのアクセス状況を把握可能なアクセスログ７４を、ＷＥＢサーバ３０から取得し、そのＷＥＢサイトに関するＷＥＢ閲覧ユーザの閲覧やアクセスが、運営管理者の処置（たとえば、ＷＥＢページの構成や内容の変更）によってどのように改善されたかを様々な観点から評価し、その評価を表すポイントを計算する。また、評価されたポイントの一定期間（月ごとや四半期ごとといった期間）における増減・推移等をさらなるポイントとして、運営管理者の成績を評価することができる。またさらに、各ＷＥＢサイトについての閲覧・アクセス状況や計算されたポイントは、管理サーバ４０にログインした端末（たとえば、ＷＥＢオーナー端末１０や運営管理者端末２０）でグラフィカルに表示させることができ、それぞれの値は、評価管理情報５３に格納される。ポイントのバリエーション、グラフィカル表示については、後で詳細に説明する。
【００３７】
投資管理部４２は、ＷＥＢサイトを投資対象とした投資ユーザの投資を管理する。投資管理部４２は、評価管理部４１で評価されたポイント、当該ポイントの変動、または当該ポイントを所定期間に亘って累積した累積ポイントに応じて、投資対象であるＷＥＢサイトの取引価額や配当額を決定する。また、投資対象について投資ユーザからの投資を募集し、投資ユーザに提供される配当の支払い等を管理する。たとえば、投資管理部４２は、投資ユーザから、運営管理者が運営・管理を行うＷＥＢサイトについて投資を受け付けると、これを投資ユーザ情報５４に記憶し、さらに、当該運営・管理がされているＷＥＢサイトについて評価管理部４１が評価したポイント等に応じて、その投資ユーザに還元する配当額を決定し、必要に応じて支払い処理を実行する。配当額や支払い実績等は、投資ユーザ情報５４に記憶される。これらの処理については、後で詳細に説明する。
【００３８】
報酬管理部４３は、評価管理部４１で評価されたポイントに応じて、１か月、四半期、半期、または１年といった期間ごとに、ＷＥＢオーナー等から運営管理者に報酬の支払いを行うように制御する。たとえば、最初に、報酬管理部４３が、評価管理部４１で評価されたポイントが、所定期間内に増減した値に応じて報酬額を決定する。次に、報酬管理部４３は、こうして決定された報酬額を、ＷＥＢオーナー情報５１に記憶されているＷＥＢオーナーの金融機関口座から、運営管理者情報５２に記憶されている運営管理者の金融機関口座に振り替えるよう指示する。具体的には、全銀システム（全国銀行データ通信システム）に対して所定のレコードを送信したりすることによって実現する。
【００３９】
ここで、報酬額を決定する代表的なアルゴリズムとしては、評価管理部４１で評価された所定期間内のポイントが、前の所定期間内のポイントより増大した場合は、前の報酬額より多くなるように設定され、減少した場合は、前の報酬額より少なくなるように設定されるというものである。報酬額の支払いおよび受領の履歴は、それぞれＷＥＢオーナー情報５１、運営管理者情報５２に記憶される。報酬額の支払い方法については、図４を参照して、後で詳細に説明する。
【００４０】
更新管理部４４は、運営管理者が運営管理者端末２０を用いて、リースされたＷＥＢサイトのＷＥＢページを更新する際に、当該更新処理の管理を行う。たとえば、提供データ７３（ＷＥＢページ、画像データ等）のＷＥＢサーバ３０へのＦＴＰによる送信処理（アップロード）手順を管理するとともに、提供データ７３のバージョンを管理する。また、ＷＥＢオーナーによってＷＥＢオーナー端末１０から運営管理者端末２０に提供される提供データ７２（ＷＥＢページのコンテンツ、動画データ、ＴＥＸＴデータ等）のＦＴＰによる送信処理（アップロード）手順を管理するとともに、提供データ７２のバージョンを管理する。
【００４１】
またさらに、運営管理者が好適に調整した提供データ７３をＷＥＢサーバ３０にアップロードする前に、この提供データ７３を一旦、ＷＥＢオーナー端末１０の表示装置に表示させ、ＷＥＢオーナーの許諾を得てからアップロードが行われるように制御することもできる。更新管理部４４における処理で利用するデータ、たとえば、提供データ７３、提供データ７２、提供データ７３および提供データ７２のバージョン情報、アップロード手順、アップロード履歴、ＷＥＢオーナーによる許諾情報等は、更新管理情報５５または運営管理者端末２０の記憶装置に記憶される。
【００４２】
仲介管理部４５は、管理サーバ４０にログインした端末の表示画面に、貸し出し（すなわち、運営管理者によるリース）を希望するＷＥＢサイトの一覧（ＷＥＢ一覧画面）を表示し、一方で、ＷＥＢサイトの運営・管理を希望する運営管理者の一覧（運営管理者一覧画面）を表示する。
【００４３】
ＷＥＢ一覧画面には、たとえば、ＷＥＢサイトのＵＲＬ、ＷＥＢオーナー、貸し出しの条件（報酬、貸し出し期間、その他契約内容）等が一覧表示される。ＷＥＢ一覧画面に表示されるこうした情報は、ＷＥＢオーナーが各自、ＷＥＢサイト管理システム１に対して登録を行った内容である。リースを希望する運営管理者は、ＷＥＢ一覧画面から所望のＷＥＢサイトを選択して詳細事項を参照し、条件が合えばＷＥＢオーナーとの交渉に進むことになる。
【００４４】
運営管理者一覧画面には、たとえば、運営管理者の情報（会社名、所在地等）、運営管理者のＷＥＢサイト運営実績、リースの条件（報酬、貸し出し期間、その他契約内容）等が一覧表示される。運営管理者一覧画面に表示されるこうした情報は、運営管理者が各自、ＷＥＢサイト管理システム１に対して登録を行った内容である。貸し出しを希望するＷＥＢオーナーは、運営管理者一覧画面から所望の運営管理者を選択して詳細事項を参照し、条件が合えば運営管理者との交渉に進むことになる。また、運営管理者のＷＥＢサイト運営実績は、一定の基準で運営管理者を比較することができるように、過去にリースしたＷＥＢサイトのＰＶ数の推移情報など、ＷＥＢサイト管理システム１であらかじめ一定の項目を設定しておくことが望ましい。
【００４５】
ＷＥＢ一覧画面や運営管理者一覧画面に表示される情報、およびこのためにＷＥＢオーナーや運営管理者によりＷＥＢサイト管理システム１に登録されたデータは、仲介管理情報５６に記憶される。また、仲介管理部４５は、ＷＥＢ一覧画面に表示されるそれぞれのＷＥＢサイトに関して、複数の運営管理者からの応募を入札方式で受け付けるよう制御することもできる。運営管理者一覧画面に表示されるそれぞれの運営管理者についても同様に、ＷＥＢオーナーの応募を入札方式で受け付けるように構成できる。またさらに、仲介管理部４５は、ＷＥＢ一覧画面や運営管理者一覧画面に表示される情報を互いにつきあわせて、条件の一致した（あるいは、条件が近接する）ＷＥＢオーナーと運営管理者に対して、自動的に紹介ウインドウを表示したり、紹介メッセージを送付したりするような自動マッチング機能を含むように構成してもよい。
【００４６】
ＷＥＢアクセス制御部４６は、評価管理部４１のリクエストに応じ、対象とするＷＥＢサイトに関するアクセスログ７４を、ＷＥＢサーバ３０から受信し、このデータを評価管理部４１に渡す。また、評価管理部４１が、グラフィカルに展開した、各ＷＥＢサイトについての閲覧・アクセス状況や計算されたポイントを、管理サーバ４０にログインした端末（たとえば、ＷＥＢオーナー端末１０や運営管理者端末２０）に表示させるよう制御する。
【００４７】
ネットワーク制御部４７は、ネットワーク６０に対するインタフェースを実現し、ＷＥＢオーナー端末１０、運営管理者端末２０、およびＷＥＢサーバ３０との間のデータの送受信を制御する。
【００４８】
ＷＥＢオーナー端末１０は、ＷＥＢアクセス制御部１１、およびネットワーク制御部１２を含む。
【００４９】
ＷＥＢアクセス制御部１１は、ＷＥＢオーナーがＷＥＢオーナー端末１０を用いて、ＷＥＢサーバ３０の記憶装置３５に記憶されている自身のＷＥＢページの内容を更新するよう操作（たとえば、ＦＴＰといったプロトコルを用いた、記憶装置３５のデータの更新）した場合に、ＷＥＢサーバ３０のＷＥＢサーバ制御部３１に対して、提供された提供データ７１（ＷＥＢページや関連する画像データ等）を送信する。リース契約の前では、少なくともこのような提供データ７１の送信が日常的に行われる。
【００５０】
ネットワーク制御部１２は、ネットワーク６０に対するインタフェースを実現し、管理サーバ４０、運営管理者端末２０、およびＷＥＢサーバ３０との間のデータの送受信を制御する。
【００５１】
運営管理者端末２０は、ＷＥＢアクセス制御部２１、およびネットワーク制御部２２を含む。
【００５２】
ＷＥＢアクセス制御部２１は、運営管理者が運営管理者端末２０を用いて、ＷＥＢサーバ３０の記憶装置３５に記憶されている、リース契約をしたＷＥＢページの内容を更新するよう操作（たとえば、ＦＴＰといったプロトコルを用いた、記憶装置３５のデータの更新）した場合に、ＷＥＢサーバ３０のＷＥＢサーバ制御部３１に対して、提供された提供データ７３（ＷＥＢページや関連する画像データ等）を送信する。こうした提供データ７３の送信は通常、管理サーバ４０の更新管理部４４の制御の元に行われる。
【００５３】
ネットワーク制御部２２は、ネットワーク６０に対するインタフェースを実現し、ＷＥＢオーナー端末１０、ＷＥＢサーバ３０、および管理サーバ４０との間のデータの送受信を制御する。
【００５４】
ＷＥＢサーバ３０は、ＷＥＢサーバ制御部３１、およびネットワーク制御部３２を含むとともに、記憶装置３５を備える。記憶装置３５には、ＷＥＢページ３６および画像データ３７が含まれる。
【００５５】
ＷＥＢサーバ制御部３１は、ＷＥＢ閲覧ユーザ端末９０からのＷＥＢページ閲覧要求に応答して、対応するＷＥＢページをそのＷＥＢ閲覧ユーザ端末９０のＷＥＢブラウザ９１に送信し、ＷＥＢ閲覧ユーザが、ＷＥＢブラウザ９１で指定したＷＥＢページの内容を閲覧できるようにする。また、運営管理者端末２０のＷＥＢアクセス制御部２１により提供された提供データ７３を受信して、これらをＷＥＢ閲覧ユーザ端末９０による閲覧が可能なように、ＷＥＢサーバ３０の記憶装置３５のＷＥＢページ３６、画像データ３７に記憶する。
【００５６】
ネットワーク制御部３２は、ネットワーク６０に対するインタフェースを実現し、ＷＥＢオーナー端末１０、運営管理者端末２０、管理サーバ４０、およびＷＥＢ閲覧ユーザ端末９０との間のデータの送受信を制御する。
【００５７】
ＷＥＢ閲覧ユーザ端末９０は、ＷＥＢブラウザ９１、およびネットワーク制御部９２を含む。また、図１では、ＷＥＢ閲覧ユーザ端末９０として１台のみが記載されているが、実際は、非常に多くのＷＥＢ閲覧ユーザ端末９０が存在し、これらのＷＥＢ閲覧ユーザ端末９０によるＷＥＢページの閲覧によって、各ＷＥＢサイトの評価が決定される。
【００５８】
ＷＥＢブラウザ９１は、ネットワーク６０を介して、ＷＥＢサーバ３０のＷＥＢサーバ制御部３１にアクセスし、要求したＷＥＢページ（テキスト情報や動画、静止画情報を含む）を表示する。上記のデータのやりとりは、たとえば、ＨＴＴＰといったプロトコルによって実現される。ＷＥＢページに表示された画面から入力されたデータや指示は、ＷＥＢブラウザ９１によってＷＥＢサーバ３０のＷＥＢサーバ制御部３１に送信され、そこでそれぞれ対応する処理やデータ記憶が行われる。
【００５９】
ネットワーク制御部９２は、ネットワーク６０に対するインタフェースを実現し、少なくともＷＥＢサーバ３０との間のデータの送受信を制御する。
【００６０】
次に、図３を参照して、本発明のＷＥＢサイト管理システム１において想定される代表的な、ＷＥＢサイトのリース方式について説明する。図３Ａには、ＷＥＢオーナー１５と運営管理者２５がリース契約の当事者となるリース方式（直接リース方式）が示されている。ＷＥＢオーナー１５と運営管理者２５は、たとえば、本発明のＷＥＢサイト管理システム１の管理サーバ４０が提供する仲介管理部４５の機能によって、互いにその存在を知り、直接、ＷＥＢオーナー１５のＷＥＢサイトについてのリース契約を交わし、運営管理者２５は、そのリースを受けたＷＥＢサイトの構成や内容を、多くの閲覧がされるように改善する。
【００６１】
管理サーバ４０の更新管理部４４は、ＷＥＢオーナー端末１０と運営管理者端末２０とを介したデータ送受信をコントロールし、ＷＥＢオーナー１５と運営管理者２５との間のやりとりを成立させる。最初に、ＷＥＢオーナー端末１０から運営管理者端末２０に対して、基本情報７０として、リースされたＷＥＢサイトのＵＲＬ、ＷＥＢページを更新するために必要なパスワード等が提供される。次に、ＷＥＢオーナー端末１０から運営管理者端末２０に対して、提供データ７２が送信される。この提供データ７２は、ＷＥＢオーナー１５が、ＷＥＢページの内容を変更する必要が生じた場合に、適宜、運営管理者２５に提供する。ＷＥＢオーナー１５が、運営管理者２５に対して、ＷＥＢページの内容についても委託をしているような場合は、提供データ７２を送信する必要はない。
【００６２】
運営管理者２５は、自己のノウハウに基づいて、好ましいＷＥＢページを作成した後、これを提供データ７３として、運営管理者端末２０からＷＥＢオーナー端末１０に送信する。ＷＥＢオーナー１５は、提供データ７３の内容を確認し、問題がなければ、これをＷＥＢサーバ３０にアップロードしても良いとの許諾を与える。この後、運営管理者２５は、この許諾に基づいて、提供データ７３を運営管理者端末２０からＷＥＢサーバ３０にアップロードする。このような、ＷＥＢオーナー１５の許諾を踏まえた提供データ７３のアップロードは、一例に過ぎない。運用によっては、ＷＥＢページのすべてまたは一部について、このような許諾を省略することができる。
【００６３】
図３Ｂには、ＷＥＢオーナー１５と運営管理者２５が、本発明のＷＥＢサイト管理システム１の管理サーバ４０が提供する仲介管理部４５（契約の当事者としては、第三者たる仲介者）を介して、間接的なリース契約を行う（サブリース方式）。ＷＥＢオーナー１５と運営管理者２５は、たとえば、仲介管理部４５の機能によって、互いにその存在を知り、仲介者を介して、ＷＥＢオーナー１５のＷＥＢサイトについてのリース契約を交わす。したがって、この場合、ＷＥＢオーナー１５と仲介者との契約（契約（１））と、運営管理者２５と仲介者との契約（契約（２））がそれぞれ締結されることになる。なお、この場合も、更新管理部４４を介したＷＥＢページ等の更新が行われるが、図３Ａと同様であるため、省略する。
【００６４】
次に、図４を参照して、本発明のＷＥＢサイト管理システム１において想定される代表的な、報酬の支払い方式について説明する。図４Ａには、ＷＥＢオーナー１５から運営管理者２５に直接報酬が支払われる、報酬直接支払い方式が示されている。ＷＥＢオーナー１５は、本発明のＷＥＢサイト管理システム１の管理サーバ４０が提供する評価管理部４１の機能によって、運営管理者２５によるＷＥＢサイト運営の成績を評価ポイントとして受け取る。そして、ＷＥＢオーナー１５は、この評価ポイントに基づいて報酬額を計算し（あるいは、評価管理部４１が、評価ポイントとともに報酬額を提示することもできる）、それを直接、運営管理者２５に支払う。
【００６５】
図４Ｂには、複数のＷＥＢオーナー１５から報酬管理部４３に一旦、報酬が集められ、その報酬管理部４３からそれぞれの運営管理者２５に報酬が支払われる、報酬集中管理方式が示されている。ＷＥＢオーナー１５は、本発明のＷＥＢサイト管理システム１の管理サーバ４０が提供する評価管理部４１の機能によって、運営管理者２５によるＷＥＢサイト運営の成績を評価ポイントとして受け取る。次に、報酬管理部４３は、事前に登録されているＷＥＢオーナー１５の金融機関口座から、この評価ポイントに基づいて計算された報酬額を徴収する。こうして徴収された報酬額は、事前に登録されている運営管理者２５の金融機関口座に振り込まれる。報酬管理部４３は、この徴収または振り込みの処理を、全銀システムを経由して実現する。
【００６６】
次に、図５および図６を参照して、本発明のＷＥＢサイト管理システム１の管理サーバ４０が提供する評価管理部４１によって求められる月間の評価ポイントの例について説明する。月間の評価ポイントは、１か月間のＷＥＢサイトのアクセス状況等によって、運営管理者２５の貢献度・成績を評価するためのポイントである。また、ここで説明する評価ポイントは一例に過ぎない。他の様々なデータおよびアルゴリズムを用いて評価ポイントを計算することができる。また、ここでは、月間の評価ポイントを求めるが、どの期間の評価ポイントを用いるかは任意に設計できる。基本的には、四半期であれば、その期間、すなわち、四半期分のアクセス状況等を示すデータが用いられ、１年であれば、１年分のデータが用いられる。
【００６７】
図５Ａには、管理サーバ４０の記憶装置５０に記憶される評価管理情報５３の例が示されている。この例では、評価管理情報５３が、ＷＥＢサイトごとに、運営管理者、（１ヶ月間の）ＰＶ（ページビュー）数、ＵＵ（ユニークユーザ）数、平均ページ数、特定リンクアクセス数、および利益額（または収入・売上額）を記憶しており、これらの項目から月間ポイント（月間の評価ポイント）を求める。ここで、ＰＶ（ページビュー）数は、ＷＥＢ閲覧ユーザ端末９０からそのＷＥＢサイトのなかのＷＥＢページが閲覧された回数であり、同じユーザがリンクをたどって次々とページを閲覧すれば、それが１つずつページビューとしてカウントされる。
【００６８】
ＷＥＢ閲覧ユーザ端末９０は、インターネットに接続された世界中の端末であり、こうした不特定のＷＥＢ閲覧ユーザの指示に基づき、ＷＥＢページの閲覧が行われる。たとえば、ＷＥＢ閲覧ユーザは、最初に検索サイトで閲覧したいＷＥＢサイトを探すためのキーワードを入力して検索を実行し、検索結果として表示された複数のＷＥＢページのうち所望のＷＥＢページを、検索結果の表示に含まれるリンク表示をクリック等することによって閲覧する。
【００６９】
ＵＵ（ユニークユーザ）数は、そのＷＥＢサイトを閲覧したユーザの数である。重複したユーザはカウントされないので、同じユーザがリンクをたどって次々とページを閲覧したような場合、ユニークユーザ数には「１」が加算される。平均ページ数は、１回のセッションで１ユーザが閲覧するページ数であり、ＰＶ数／ＵＵ数で求められる。
【００７０】
特定リンクアクセス数は、所定のＷＥＢサイトやリンク（たとえば、所定のメールマガジンに表記されたリンク）から、導かれてきた（送出されてきた）ユーザが閲覧したページ数である。利益額は、ＷＥＢサイトによってもたらされた利益の額である。たとえば、ＷＥＢサイトが通信販売のサイトであれば、ＷＥＢサイトを訪問したユーザがそこで買い物をした場合に、その取引によってもたらされた利益が含まれる。そのほか、ＷＥＢサイトのバナー広告に関するスポンサー収入や、アフィリエイト広告の収入等が含まれる。ＷＥＢサイトが商品の紹介や企業イメージの向上を目的とするサイトである場合は、なんらかの既知の手法によって、ＷＥＢサイトの貢献度を推定して、そのＷＥＢサイトによる利益の額を求めてもよい。
【００７１】
このように、ＷＥＢサイトのアクセス状況に関するデータは、ＷＥＢサーバ３０のアクセスログ７４等から得ることができる。図５Ａの例では、月間ポイントＰＴ１は、ＰＴ１＝α１＊ＰＶ数＋α２＊平均ページ数＋α３＊特定リンクアクセス数＋α４＊利益額、の式で求められる（ただし、α１ないしα４は、所定の係数）。すなわち、この例では、ＷＥＢサイトのアクセス状況と、ＷＥＢサイトによる直接的または間接的な利益額に基づいて評価ポイントが計算され、各要素（ファクター）が、所定の係数を用いて加重的に加算される。ＷＥＢサイトのアクセス状況およびＷＥＢサイトによる利益額はともに、優秀なＷＥＢサイトを測るための尺度となりうる。
【００７２】
もちろん、上記の式について様々な変形例を考えることができ、たとえば、利益額を用いずに、ＷＥＢサイトのアクセス状況に関する要素のみを用いて評価ポイントを計算することができる。また、ＷＥＢサイトのアクセス状況を表す要素として、上記のほかに、ドキュメントルートへのアクセス率、直帰率（閲覧ユーザが１ページのアクセスのみで閲覧を終了する割合）、閲覧ユーザのリピート数（同じ閲覧ユーザが１ヶ月のうちに繰り返しアクセスをする数）、セッション数、新規セッション数、新規ユーザ数、およびページ閲覧時間など、様々なものが考えられる。
【００７３】
図５Ｂは、図５Ａに示した計算方法を改良したものである。図５Ａでは、α１＊ＰＶ数のように、値そのものを評価ポイントの計算に利用したが、ここでは、各要素の値をいくつかのレベルに分類し、各レベルにポイント（バリューポイント）を付与するようにした。たとえば、図５Ｂに示すように、ＰＶ数に関して、１０００以下は、バリューポイント＝１０、１００１から３０００では、バリューポイント＝２０といったように設定する。
【００７４】
このようにして各バリューポイントを加算すると、月間ポイントＰＴ２は、ＰＴ２＝ＰＶ数のバリューポイント＋平均ページ数のバリューポイント＋特定リンクアクセス数のバリューポイント＋利益額のバリューポイント、の式で求められる。
【００７５】
図５Ｃは、図５Ａに示した計算方法をさらに改良したものである。図５Ａでは、α１＊ＰＶ数のように、値そのものを評価ポイントの計算に利用したが、ここでは、各要素の値から、全体のＷＥＢサイトについての相対的な順位を求め、その順位に対して所定のポイント（ランクポイント）を付与するようにした。たとえば、図５Ｃに示すように、ＰＶ数に関して、ＷＥＢサイトＢの３０００の値には、１位のランクポイント２００を、ＷＥＢサイトＤ、Ｗの１２００の値には、２位のランクポイント１５０を設定する。
【００７６】
このようにして各ランクポイントを加算すると、月間ポイントＰＴ３は、ＰＴ３＝ＰＶ数のランクポイント＋平均ページ数のランクポイント＋特定リンクアクセス数のランクポイント＋利益額のランクポイント、の式で求められる。
【００７７】
図６Ａは、図５Ａに示した計算方法をさらに改良したものである。ここでは、各要素の値から、全体のＷＥＢサイトについての相対的な割合を求め、その割合に応じて所定のポイント（割合ポイント）を付与するようにした。たとえば、図６Ａに示すように、利益額に関して、ＷＥＢサイトＡの５００００の値には、２．２％に対応する割合ポイント２２を、ＷＥＢサイトＢの１０００００の値には、４．４％に対応する割合ポイント４４を設定する。
【００７８】
このようにして各割合ポイントを加算すると、月間ポイントＰＴ４は、ＰＴ４＝ＰＶ数の割合ポイント＋特定リンクアクセス数の割合ポイント＋利益額の割合ポイント、の式で求められる。
【００７９】
図６Ｂは、図５Ａに示した計算方法をさらに改良したものである。ここでは、要素として、それぞれのＷＥＢサイト独自の特性を有する基準値を採用している。たとえば、ＷＥＢサイトの性格が違えば、好ましい平均ページ数や利益額も異なると考えられる。図６Ｂでは、通信販売のＷＥＢサイトＡ、Ｂでは、基準平均ページとして「５」が設定され、基準利益額として、「１２００００」が設定されている。一方、、特に直接の取引に結びつかない、イメージ戦略上のＷＥＢサイトＣでは、基準平均ページとして「２」が設定され、基準利益額として、「１２０００」が設定されている。
【００８０】
評価ポイントは、必要に応じて、このようにして設定された基準値との差をとって加算する。たとえば、月間ポイントＰＴ５は、ＰＴ５＝β１＊ＰＶ数＋β２＊（平均ページ数−基準平均ページ）＋β３＊（利益額−基準利益額）、の式で求められる（ただし、β１ないしβ３は、所定の係数）。
【００８１】
以上、説明してきたように、評価管理部４１は、様々な要素と様々なアルゴリズムを用いて評価ポイントを求めることができる。上記で説明した評価方法は一例に過ぎず、これらを部分的に組み合わせて新たな評価方法とすることもできるし、他の様々な別の評価方法を用いて評価を行うこともできる。
【００８２】
次に、図７を参照して、評価管理部４１のさらなる機能について説明する。評価管理部４１は、上記で説明した評価方法によって求めた月間ポイントの推移を図７Ａに示すように、（たとえば、ＷＥＢオーナー端末１０や運営管理者端末２０に）グラフィカル表示することができる。このような表示により、ＷＥＢオーナー１５や運営管理者２５は、ＷＥＢサイトの評価がどのように推移しているかを視覚的に認識することができる。この例では、運営管理者２５へのリースが開始された３月の翌月以降、月間ポイントが上昇していることがわかる。
【００８３】
図７Ｂは、図７Ａに示す評価ポイントを表にして示したものである。各月の月間ポイントに関して、前月の月間ポイントとの差を変動ポイントとして計算すると、３月では−５、４月では１０となる。ここでは、たとえば、新たな月間ポイントを、月間ポイントにこの変動ポイントを加味して求めるものとする。そうすると、月間ポイントは、ＰＴ６＝月間ポイント＋γ＊変動ポイント、の式で求められる（ただし、γは、所定の係数）。このようなポイントで評価することによって、運営管理者２５の運営手腕によってＷＥＢサイトの評価が、「増大」傾向で推移し、ＷＥＢサイトの価値がさらに増したかどうかを計ることができる。また、月間ポイントを累積的に加算し、累積ポイントを計算することも可能である。
【００８４】
次に、図８Ａを参照して、本発明のＷＥＢサイト管理システム１の投資管理部４２が提供する機能の一例を説明する。投資管理部４２は、運営管理者２５とＷＥＢサイトを指定することによって、その運営管理者２５による当該ＷＥＢサイトの運営成績を、様々な評価ポイントで対話式に表示させることができる。
【００８５】
ユーザは最初に、図８Ａに示す銘柄状況表示メニュー３００の銘柄指定領域３１０で運営管理者２５とＷＥＢサイトを入力し、選択ボタン３１２を押下する（ここで、ＷＥＢサイトを指定しなければ、指定した運営管理者２５が関係したすべてのＷＥＢサイトについての表示がなされる）。その後、銘柄状況表示領域３２０で、どの評価ポイントを表示させるかを表示項目プルダウンメニューで指定するとともに、表示させる対象の期間を期間プルダウンメニューで指定して、表示ボタン３２２を押下する。そうすると、銘柄状況表示ウインドウ３２４に、指定された評価ポイントを指定された期間に亘って表したグラフが表示される。
【００８６】
図８Ａに示す例では、表示項目として、評価ポイント（月間ポイント）や累積ポイントのほか、ページビュー数やユニークユーザ数など、評価に用いたそれぞれの要素等についても指定することができる。たとえば、投資ユーザは、こうした表示をさせることにより、どの運営管理者２５がＷＥＢサイトの運営についてどのような成績・実績を有しているのか、または、どのＷＥＢサイトが、どのような評価の推移を経てきているのか等を容易に把握することができる。
【００８７】
図８Ｂは、本発明のＷＥＢサイト管理システム１の管理サーバ４０の記憶装置５０に記憶される投資ユーザ情報５４の一例を示した図である。この例では、投資ユーザ情報５４は、投資ユーザのユーザＩＤ、投資ユーザがＷＥＢサイト管理システム１にログインするのに必要なパスワード、投資ユーザの氏名、投資ユーザの住所、配当額等が振り込まれる金融機関口座番号、受領した（または受領予定の）配当額などが記憶される。
【００８８】
図９Ａは、投資管理部４２によって、管理サーバ４０にログインした投資ユーザのコンピュータの表示装置に表示される、銘柄売買指示メニューの一例である。運営管理者２５によってリースされ、運営・管理されるＷＥＢサイトの評価ポイントが、１ヶ月ごとといった期間で変動し、優秀なＷＥＢサイトでは、多くの商品の販売につながったり、多くの広告スポンサーが付くなどして、有力な収益源となる。そういった意味で、ＷＥＢサイトは投資の対象となりうるものであり、ここでは、ＷＥＢサイトに資金を投資した見返りとして、評価ポイント等に応じた配当が支払われるというビジネスモデルを構築する。
【００８９】
投資対象としてのＷＥＢサイトは、これに関して市場が形成され、需要と供給によって動的に価格が形成される取引所取引（市場売買）であってもよいし、一定の価格、たとえば、固定的に設定された価格や、売買時点の評価ポイントに応じて決定される価格で相対取引（店頭取引）される場合もある。図９は、後者の例を示している。また、評価ポイントは、上述のように、様々なパターンを考えることができる。一方、運営管理者２５は、このような投資を受けて、さらにＷＥＢサイトを好ましい方向に改良していくことができる。
【００９０】
図９Ａの銘柄売買指示メニュー４００には、ログイン指定領域４１０と売買指示領域４２０が設けられる。ログイン指定領域４１０では、あらかじめ投資ユーザとして登録を行った者のユーザＩＤとパスワードが入力される。ログインボタン４１２を押下すると、ユーザＩＤとパスワードのチェックが行われ、正しいものであると判定された場合には、ＷＥＢサイト管理システム１へのログインが認められる。ユーザＩＤとパスワードが正しいものであるかどうか、すなわちユーザ認証は、図８Ｂに示した投資ユーザ情報５４に記憶された情報を用いて判定される。
【００９１】
ログインが完了すると、売買指示領域４２０で、取引の選択と、売買する銘柄の選択を行う。ここで、銘柄とは、投資の対象を表し、運営管理者２５とＷＥＢサイトによって特定される。通常、ＷＥＢサイトがリースされるのは１つの運営管理者２５であるから、銘柄指定の場合、運営管理者２５の指定を省略することもできる。取引（買い）を選択し、さらに銘柄の選択を行うと、その銘柄の累積ポイントと、この累積ポイントに応じて決定された売買金額（約定金額）が示される。投資ユーザが、この約定金額での購入を決定した場合は、約定日を入力して、その後、実行ボタン４２２を押下する。これによって、当該銘柄の買い取引が成立する。売取引の場合は、通常、ログインした投資ユーザが、すでに購入した（出資した）対象を有している必要があり、売取引を選択すると最初に、その投資ユーザの投資対象が一覧表示される。
【００９２】
実行ボタン４２２が押下されて、買取引が成立すると、その内容が投資ユーザ情報５４に記憶される。この例では、買い取り引きの代金（約定金額）は、評価ポイントを所定の期間累積した累積ポイントに基づいて求められているが、たとえば、取引時点の月間ポイントに応じて決定したり、ＷＥＢサイトごとに固定値にするなど、他の様々な方法によって、投資金額を決定することができる。
【００９３】
図９Ｂの配当管理メニュー５００には、ログイン指定領域５１０と配当表示領域５２０が設けられる。ログイン指定領域５１０では、あらかじめ投資ユーザとして登録を行った者のユーザＩＤとパスワードが入力される。ログインボタン５１２を押下すると、ユーザＩＤとパスワードのチェックが行われ、正しいものであると判定された場合には、ＷＥＢサイト管理システム１へのログインが認められる。ユーザＩＤとパスワードが正しいものであるかどうか、すなわちユーザ認証は、図８Ｂに示した投資ユーザ情報５４に記憶された情報を用いて判定される。
【００９４】
ログインが完了すると、配当表示領域５２０で表示内容の選択と銘柄の選択とを行う。配当表示を選択と銘柄の選択を行った後、表示ボタン５２２を押下すると、配当表示ウインドウ５２４が表示され、そのウインドウ内に、選択した銘柄の配当額の推移が示される。この例では、配当が四半期ごとに投資ユーザに支払われ、実績および予定が表示される。図９Ｂの例では、２００８年第１四半期〜２００８年第４四半期までの配当実績と、２００９年第１四半期の配当予定が表示されている。
【００９５】
配当額や支払回数は、たとえば、評価ポイントや評価ポイントの変動幅など、リースされたＷＥＢサイトの評価に関わる様々な値に応じて決定される。配当額は通常、改良が進んで閲覧ユーザからの閲覧が多くされ、この結果、関連する多くの利益額を得るようになったＷＥＢサイトほど、高く設定される。このように設定することで、優秀なＷＥＢサイト、または将来有望なＷＥＢサイトに多くの投資が集まり、そのＷＥＢサイトの運営管理者２５は、この投資を元に、さらにＷＥＢサイトの改良を進めるという経済サイクルが形成される。本発明のＷＥＢサイト管理システム１は、こうした経済サイクルの運用面をシステム的に支援するものである。
【００９６】
これまで、本発明のＷＥＢサイト管理システム１を、一実施形態を参照して説明してきたが、この形態のみに限られるものではない。システム化の方法に関しては既知の多くの方法があり、様々なシステム構成によって、本発明と同様の機能を実現することができる。
【００９７】
次に、図１０を参照して、本発明に係るＷＥＢサイト管理システム１の管理サーバ４０として用いられるコンピュータのハードウエア構成の例について説明する。ただし、図１０のコンピュータ１０００は、管理サーバ４０として機能するコンピュータの代表的な構成を例示したにすぎない。また、ＷＥＢオーナー端末１０、運営管理者端末２０、ＷＥＢサーバ３０、ＷＥＢ閲覧ユーザ端末９０といった他のコンピュータも同様の構成を有している。
【００９８】
コンピュータ１０００は、ＣＰＵ（Central Processing Unit）１００１、メモリ１００２、音声出力装置１００３、ネットワークインタフェース１００４、ディスプレイコントローラ１００５、ディスプレイ１００６、入力機器インタフェース１００７、キーボード１００８、マウス１００９、外部記憶装置１０１０、外部記録媒体駆動装置１０１１、およびこれらの構成要素を互いに接続するバス１０１２を含んでいる。
【００９９】
ＣＰＵ１００１は、コンピュータ１０００の各構成要素の動作を制御し、ＯＳの制御下で、本発明に係るＷＥＢサイト管理システム１の各機能（たとえば、評価管理部４１、投資管理部４２、報酬管理部４３、更新管理部４４等）を実行する。
【０１００】
メモリ１００２は通常、不揮発性メモリであるＲＯＭ（Read Only Memory）、および揮発性メモリであるＲＡＭ（Random Access Memory）から構成される。ＲＯＭには、コンピュータ１０００の起動時に実行されるプログラム等が格納される。ＲＡＭには、ＣＰＵ１００１で実行されるプログラムや、それらのプログラムが実行中に使用するデータが一時的に格納される。
【０１０１】
音声出力装置１００３は、たとえば、スピーカ等の機器であり、動画プレイヤー等から音声データを受け取り、音声を出力する。
【０１０２】
ネットワークインタフェース１００４は、ネットワーク１０２０に接続するためのインタフェースである。ネットワーク１０２０は、たとえば、図１に示したネットワーク６０に対応する。
【０１０３】
ディスプレイコントローラ１００５は、ＣＰＵ１００１が発行する描画命令を実際に処理するための専用コントローラである。ディスプレイコントローラ１００５で処理された描画データは、一旦グラフィックメモリに書き込まれ、その後、ディスプレイ１００６に出力される。ディスプレイ１００６は、たとえば、ＬＣＤ（Liquid Crystal Display）やＣＲＴ（Cathode Ray Tube）で構成される表示装置である。
【０１０４】
入力機器インタフェース１００７は、キーボード１００８やマウス１００９から入力された信号を受信して、その信号パターンに応じて所定の指令をＣＰＵ１００１に送信する。キーボード１００８やマウス１００９は、たとえば、ＷＥＢオーナー１５、運営管理者２５、ＷＥＢ閲覧ユーザ、および投資ユーザが、コンピュータに対して入力や指示を行うために用いられる。
【０１０５】
外部記憶装置１０１０は、たとえば、ハードディスクドライブ（ＨＤＤ）のような記憶装置であり、この装置内には上述したプログラムやデータが記録され、実行時に、必要に応じてそこからメモリ１００２のＲＡＭにロードされる。図２に示す記憶装置５０は、こうした装置で構成される。
【０１０６】
外部記録媒体駆動装置１０１１は、ＣＤ（Compact Disc）、ＭＯ（Magneto-Optical Disc）、ＤＶＤ（Digital Versatile Disc）などの可搬型の外部記録媒体１０３０の記録面にアクセスして、そこに記録されているデータを読み取る装置である。外部記録媒体１０３０には、本発明に係るＷＥＢサイト管理システム１を実現するためのプログラムも記録することが可能である。外部記録媒体１０３０に記録されているデータは、外部記録媒体駆動装置１０１１を介して外部記憶装置１０１０に格納され、プログラムであれば、実行時にメモリ１００２のＲＡＭにロードされる。
【０１０７】
また、本発明に係るＷＥＢサイト管理システム１を実現するためのプログラムの他の流通形態としては、ネットワーク上の所定のサーバから、ネットワーク１０２０およびネットワークインタフェース１００４を介して外部記憶装置１０１０に格納されるというルートが考えられる。こうして格納されたプログラムは、上記と同様に、実行時にメモリ１００２のＲＡＭにロードされ、実行される。
【０１０８】
本発明の管理サーバ４０は、本発明に係るＷＥＢサイト管理システム１の動作を制御するよう機能し、エンドユーザが直接操作することのないサーバであるため、基本的に、上述の音声出力装置１００３は不要である。また、場合によっては、ディスプレイコントローラ１００５、ディスプレイ１００６、入力機器インタフェース１００７、キーボード１００８、およびマウス１００９等も必須の構成要素ではない。
【図面の簡単な説明】
【０１０９】
【図１】本発明の一実施形態に係るＷＥＢサイト管理システムのシステム略線図である。
【図２】本発明の一実施形態に係るＷＥＢサイト管理システムの機能ブロック図である。
【図３】本発明の一実施形態に係るＷＥＢサイト管理システムにおいて想定するリース方式の概念を示す略線図である。
【図４】本発明の一実施形態に係るＷＥＢサイト管理システムにおいて想定する報酬の支払い方式の概念を示す略線図である。
【図５】本発明の一実施形態に係るＷＥＢサイト管理システムにおいて求める評価ポイントの例を示す略線図である。
【図６】本発明の一実施形態に係るＷＥＢサイト管理システムにおいて求める評価ポイントの例を示す略線図である。
【図７】本発明の一実施形態に係るＷＥＢサイト管理システムにおいて求める評価ポイント、変動ポイント、累積ポイントの例を示す略線図である。
【図８】本発明の一実施形態に係るＷＥＢサイト管理システムにおいて表示される銘柄状況表示メニューと、記憶装置５０に記憶される投資ユーザ情報の例を示す略線図である。
【図９】本発明の一実施形態に係るＷＥＢサイト管理システムにおいて表示される銘柄売買指示メニューと配当管理メニューの例を示す略線図である。
【図１０】本発明の一実施形態に係るＷＥＢサイト管理システムの管理サーバを構成するコンピュータのハードウエア構成の例を示す略線図である。
【符号の説明】
【０１１０】
１・・・ＷＥＢサイト管理システム、１０・・・ＷＥＢオーナー端末、２０・・・運営管理者端末、３０・・・ＷＥＢサーバ、４０・・・管理サーバ、５０・・・記憶装置、６０・・・ネットワーク、１０００・・・コンピュータ、１００１・・・ＣＰＵ、１００２・・・メモリ、１００３・・・音声出力装置、１００４・・・ネットワークインタフェース、１００５・・・ディスプレイコントローラ、１００６・・・ディスプレイ、１００７・・・入力機器インタフェース、１００８・・・キーボード、１００９・・・マウス、１０１０・・・外部記憶装置、１０１１・・・外部記録媒体駆動装置、１０１２・・・バス、１０２０・・・ネットワーク、１０３０・・・外部記録媒体
【図１】
2010191825.tif 000003
【図２】
2010191825.tif 000004
【図３】
2010191825.tif 000005
【図４】
2010191825.tif 000006
【図５】
2010191825.tif 000007
【図６】
2010191825.tif 000008
【図７】
2010191825.tif 000009
【図８】
2010191825.tif 000010
【図９】
2010191825.tif 000011
【図１０】
2010191825.tif 000012